(57)【要約】  感動や親切な行為を施してくれた他のユーザー（贈心先）２に対し、感謝の気持ちを可視的な価値情報（chao）として贈るための贈心システムであって、贈心先であるユーザー２が有する属性項目（ジョブ）を特定して、ユーザーが決定した所定数量のchaoを通信端末装置１ａから送信し、ユーザー２が保有するに至ったchaoを、ユーザーが有するジョブと関連づけてchao通帳に記憶保持し、chao通帳に記録保持された各ユーザーのジョブ、及び各ジョブのchaoの数量又は贈受頻度に応じた、各ユーザーのジョブレベルを設定し、この設定されたユーザー２のジョブレベルを、通信ネットワークを通じて公開する。  本発明によれば、感動や親切な行為を与えてくれた相手に対する感謝の気持ちを可視的な価値情報として伝え合い、それを貯えることによって、ユーザー間のリンクをグローバルに展開させ、より密接なものとすることができる。【選択図】  図１
2008108000.tif 000002
【特許請求の範囲】
【請求項１】
ユーザー間において、感動や親切な行為を施してくれた他のユーザーに対し、感謝の気持ちを可視的な価値情報として贈るための贈心システムであって、
各ユーザーが個々に使用する通信端末であって、贈心先である前記他のユーザーが有する属性項目を特定して、ユーザーが決定した所定数量の価値情報を送信する贈心手段と、
前記通信ネットワーク上に設置され、前記贈心手段によってユーザー間で贈受され、各ユーザーが保有するに至った前記価値情報を、各ユーザーが有する属性項目と関連づけて記録保持する通帳管理手段と、
前記通信ネットワーク上に設置され、前記通帳管理手段に記録保持された各ユーザーの属性項目、及び属性項目に関連づけられた価値情報の数量、贈受頻度、又は贈受人数に応じた各ユーザーの評価レベルを設定するプロファイル管理手段と、
前記プロファイル管理手段が設定した各ユーザーの評価レベルを、前記通信ネットワークを通じて公開するユーザーページ公開手段と
を有することを特徴とする贈心システム。
【請求項２】
前記贈心手段は、前記価値情報の送信に際し、文字データや画像データ等の付加データを付加することができることを特徴とする請求項１に記載の贈心システム。
【請求項３】
前記価値情報を、前記通信ネットワークを通じて販売し、前記贈心手段に蓄積させるとともに、該価値情報の販売に対する課金処理を実行する価値情報購入手段を有することを特徴とする請求項１に記載の贈心システム。
【請求項４】
前記ユーザーの評価レベルやその他のプロフィールをキーワードとして、前記各ユーザーのページを検索する検索手段を有することを特徴とする請求項１に記載の贈心システム。
【請求項５】
前記価値情報は、物品やサービスとの交換価値を有するものであることを特徴とする請求項１に記載の贈心システム。
【請求項６】
ユーザー間において、感動や親切な行為を施してくれた他のユーザーに対し、感謝の気持ちを可視的な価値情報として贈るための贈心方法であって、
各ユーザーが個々に使用する通信端末である贈心手段により、贈心先である前記他のユーザーが有する属性項目を特定して、ユーザーが決定した所定数量の価値情報を送信するステップ（１）と、
前記通信ネットワーク上に設置された通帳管理手段によって、前記贈心手段を通じてユーザー間で贈受され、各ユーザーが保有するに至った前記価値情報を、各ユーザーが有する属性項目と関連づけて記録保持するステップ（２）と、
前記通信ネットワーク上に設置されたプロファイル管理手段によって、前記通帳管理手段に記録保持された各ユーザーの属性項目、及び属性項目に関連づけられた価値情報の数量、贈受頻度、又は贈受人数に応じた、各ユーザーの評価レベルを設定するステップ（３）と、
前記通信ネットワーク上に設置されたユーザーページ公開手段によって、前記プロファイル管理手段が設定した各ユーザーの評価レベルを、前記通信ネットワークを通じて公開するステップ（４）と
を有することを特徴とする贈心方法。
【請求項７】
前記ステップ（１）において、贈心手段は、前記価値情報の送信に際し、文字データや画像データ等の付加データを付加することができることを特徴とする請求項６に記載の贈心方法。
【請求項８】
前記価値情報は、価値情報購入手段により前記通信ネットワークを通じて販売され、前記贈心手段に蓄積されるとともに、該価値情報の販売に対する課金処理を実行するステップをさらに有することを特徴とする請求項６に記載の贈心方法。
【請求項９】
検索手段によって、前記ユーザーの評価レベルやその他のプロフィールをキーワードとして、前記各ユーザーのページを検索するステップをさらに有することを特徴とする請求項６に記載の贈心方法。
【請求項１０】
前記価値情報は、物品やサービスとの交換価値を有するものであることを特徴とする請求項６に記載の贈心方法。
【発明の詳細な説明】
【技術分野】
【０００１】
本発明は、感動や親切な行為を与えてくれた相手に対するお礼や、知人に対する応援等の感謝の気持ちを可視的な価値情報として伝え合い、それを貯えることによって、自分の夢や願い、やってみたいことを実現するための贈心システム及び贈心方法に関する。
【背景技術】
【０００２】
古くより、現実社会にあっては、感動や親切な行為を与えてくれた相手に対する「ありがとう」というお礼や、知人に対する応援等の感謝の気持ちを相手に伝えるために、言葉でお礼を言ったり、贈り物をしたり、ときには金銭を渡したりという行為が行われてきた。【０００３】
その一方で、現在では、電子マネー等の電子情報を記憶し送受信が可能な通信端末や、非接触型ＩＣカード等を利用して、贈り物や金銭に相当する価値情報の授受が可能となってきており、利用者が所持する紙幣を他の利用者に譲渡するのと同様の感覚で、例えば、利用者が保有する価値情報を他の利用者が保有する通信装置内の記憶領域に移動することが可能なシステムが開発されている（例えば、特許文献１参照）。
【特許文献１】特開２００７−４１９５４号公報
【発明の開示】
【発明が解決しようとする課題】
【０００４】
しかしながら、上述した電子的な価値情報の授受は、単に現実社会における金銭の決済であるため、これを通じて気持ちを伝えることは困難である。また、仮に言葉を添えて電子マネーを送信し、ある程度の気持ちを伝えられたとしても、その行為は、個人間のその場でのやり取りとして完結してしまい、その行為自体が、贈った相手の夢や願いを実現するためのグローバルなリンクとは成り得ない。【０００５】
一方、インターネット等の仮想現実の世界では、いわゆる「Web2.0」的思考が拡大しつつある。この「Web2.0」とは、従来のWeb上において、サービス提供側から一方的に情報の提供を受けていたユーザーが、ブログ等のソーシャルネットワークに参加するなどして、情報のノードとなりリンクとなることによって、コンテンツの構築に貢献し、結果的にユーザー自身がグローバルなサービスの提供側となるという考え方である。【０００６】
このような「Web2.0」によれば、インターネット上でコミュニケーションをとり、グローバルにリンクを拡大させ、そのリンクを密接なものとすることによって、ユーザー自身が有名になったり、その評価が高められたりして、夢や願いが実現される可能性がある。【０００７】
そこで、本発明は以上の点に鑑みてなされたもので、リアルな現実社会において、感動や親切な行為を与えてくれた相手に対する感謝の気持ちを可視的な価値情報として伝え合い、それを貯えることによって、ユーザー間のリンクをグローバルに展開させ、より密接なものとすることによって、ユーザー自身の「夢」や「願い」、「やってみたいこと」を実現することのできるシステムを提供することをその課題とする。
【課題を解決するための手段】
【０００８】
上記課題を解決するために、本発明は、ユーザー間において、感動や親切な行為を施してくれた他のユーザーに対し、感謝の気持ちを可視的な価値情報として贈るための贈心システムであって、以下の構成を有する。【０００９】
（１）各ユーザーが個々に使用する通信端末であって、贈心先である他のユーザーが有する属性項目を特定して、ユーザーが決定した所定数量の価値情報を送信する贈心手段
（２）通信ネットワーク上に設置され、贈心手段によってユーザー間で贈受され、各ユーザーが保有するに至った価値情報を、各ユーザーが有する属性項目と関連づけて記録保持する通帳管理手段
（３）通信ネットワーク上に設置され、通帳管理手段に記録保持された各ユーザーの属性項目、及び属性項目に関連づけられた価値情報の数量、贈受頻度、又は贈受人数に応じた、各ユーザーの評価レベルを設定するプロファイル管理手段
（４）プロファイル管理手段が設定した各ユーザーの評価レベルを、通信ネットワークを通じて公開するユーザーページ公開手段
また、本発明は、ユーザー間において、感動や親切な行為を施してくれた他のユーザーに対し、感謝の気持ちを可視的な価値情報として贈るための贈心方法であって、以下のステップを有する。【００１０】
（１）各ユーザーが個々に使用する通信端末である贈心手段により、贈心先である他のユーザーが有する属性項目を特定して、ユーザーが決定した所定数量の価値情報を送信するステップ
（２）通信ネットワーク上に設置された通帳管理手段によって、贈心手段を通じてユーザー間で贈受され、各ユーザーが保有するに至った価値情報を、各ユーザーが有する属性項目と関連づけて記録保持するステップ
（３）通信ネットワーク上に設置されたプロファイル管理手段によって、通帳管理手段に記録保持された各ユーザーの属性項目、及び属性項目に関連づけられた価値情報の数量、贈受頻度、又は贈受人数に応じた、各ユーザーの評価レベルを設定するステップ
（４）通信ネットワーク上に設置されたユーザーページ公開手段によって、プロファイル管理手段が設定した各ユーザーの評価レベルを、通信ネットワークを通じて公開するステップ
このような本発明によれば、日常的に交わされる「ありがとう」という感謝の気持ちを価値情報として相手に伝えることができ、これを通帳管理手段に蓄積することによって、その蓄積された属性項目毎の数量、贈受頻度、又は贈受人数に応じ、受心したユーザーを評価することが可能となる。この評価は評価レベルとして通信ネットワーク上に公開されることから、積み重ねられた個人的な「ありがとう」という気持ちのやり取りが、グローバルな情報として世界に発信され、ユーザーの「夢」や「願い」が実現される可能性を高めることができる。【００１１】
なお、この評価レベルとしては、例えば、属性項目毎の数量及び贈受頻度（受心回数）など、ユーザー間のリンクの密度に基づく「ジョブレベル」や、贈心してくれた贈心元の人数や所在地など、ユーザー間のリンクの広がりに基づく「枕詞レベル」などが挙げられる。【００１２】
上記発明において、贈心手段では、価値情報の送信に際し、文字データや画像データ等の付加データを付加することができることが好ましい。この場合には、贈心先に対し、多様な表現を用いることができ、感謝の気持ちをより適切に伝えることができる。【００１３】
上記発明において、価値情報を、通信ネットワークを通じて販売し、贈心手段に蓄積させるとともに、価値情報の販売に対する課金処理を実行する価値情報購入手段を有することが好ましい。この場合には、贈心のための価値情報を簡単に入手することができ、ユーザーの利便性を高めることができる。【００１４】
上記発明において、ユーザーの評価レベルやその他のプロフィールをキーワードとして、各ユーザーのページを検索する検索手段を有することが好ましい。この場合には、種々のキーワードを用いてユーザーの検索をすることができ、友人探しや仲間作りが容易なものとすることができる。【００１５】
また、プロフィールの公開に際しては、上述したユーザーの評価レベルのランキングを行い、上位のユーザーを、一覧表示させるようにしてもよい。このランキングとしては、例えば、上述したジョブレベルや枕詞レベルでの順位付けが考えられ、その順位付けは、国や地方など地域ごとに行ってもよい。【００１６】
上記発明において、価値情報は、物品やサービスとの交換価値を有するものであることが好ましい。この場合には、贈心された価値情報を、物品やサービスという形にすることができるため、贈心したユーザーやそれを受けたユーザーの意思に基づいて、贈心された気持ちの具体化をすることができる。【００１７】
さらに、上記発明においては、贈心元から価値情報を受心した際、その受心した価値情報の一部を、無作為に選択した他のユーザーに分配するようにしてもよい。この場合には、受心により得た価値情報を、ランダムに選択された無関係の他のユーザーに「おすそわけ」することができ、贈心先のユーザーが受けた「ありがとう」の感謝の気持ちを、他の無関係なユーザーと共有することができ、それを契機にユーザー間のリンクを拡大させることができる。
【発明の効果】
【００１８】
以上説明したように本発明によれば、リアルな現実社会において、感動や親切な行為を与えてくれた相手に対する「ありがとう」という感謝の気持ちを可視的な価値情報として伝え合い、それを貯えることによって、ユーザー間のリンクをグローバルに展開させ、より密接なものとすることができ、その結果、ユーザー自身の「夢」や「願い」、「やってみたいこと」を実現させることができる。
【図面の簡単な説明】
【００１９】
【図１】図１は、実施形態に係る贈心システムの概略構成を示す説明図である。
【図２】図２は、実施形態に係るサーバー群５で形成される各モジュール、及びこれらのモジュールとユーザー端末との関係を示す機能ブロック図である。
【図３】図３は、実施形態に係る価値情報設定部１０３の内部構造を示すブロック図である。
【図４】図４は、実施形態に係る通信端末において贈心処理を行う際の、画面構成を模式的に示す説明図である。
【図５】図５は、実施形態に係る通信端末においてchao通帳の閲覧を行う際の、画面構成を模式的に示す説明図である。
【図６】図６は、実施形態に係る通信端末においてchao通帳の内容を閲覧する際の、画面構成を模式的に示す説明図である。
【図７】図７は、実施形態に係る通信端末において会員ページの公開情報の設定を行う際の、画面構成を模式的に示す説明図である。
【図８】図８は、実施形態に係る通信端末においてchaoのチャージを行う際の、画面構成を模式的に示す説明図である。
【図９】図９は、実施形態に係る贈心システムの動作を示すフローチャート図である。
【図１０】図１０は、実施形態に係るおすそわけ処理の概要を示す説明図である。
【図１１】図１１は、実施形態に係るchao通帳の更新処理の概要を示す説明図である。
【図１２】図１２は、実施形態に係る評価レベル（ジョブレベル及び枕詞レベル）の更新処理の概要を示す説明図である。
【符号の説明】
【００２０】
chao…価値情報
１…ユーザー（贈心元）
１ａ〜３ａ…通信端末装置
２…ユーザー（贈心先）
３…ユーザー（第三者ユーザー）
４…通信ネットワーク
５…サーバー群
６…購入サーバー
５１…chao通帳サーバー
５２…アカウント／プロファイル管理サーバー
５３…会員ページ配信サーバー
５４…ユーザー管理データベース
１０１…操作部
１０２…操作信号取得部
１０３…価値情報設定部
１０３ａ…ユーザー情報追加部
１０３ｂ…付加データ追加部
１０３ｃ…贈心情報生成部
１０３ｄ…属性項目選択部
１０３ｅ…贈心先選択部
１０３ｆ…贈心先情報参照部
１０３ｇ…価値情報入力部
１０４…表示部
１０５…表示データ生成部
１０６…通信インターフェース
１０７…価値情報蓄積管理部
５０１…プロファイル管理手段
５０２…通帳管理手段
５０３…価値情報通信部
５０４…通信インターフェース
５０５…データベース検索部
５０６…ユーザーページ公開手段
【発明を実施するための最良の形態】
【００２１】
（贈心システムの構成）
本発明の実施形態について、図面を参照しつつ説明する。図１は、本実施形態に係る贈心システムの概略構成を示す説明図である。【００２２】
同図に示すように、贈心システムは、ユーザー１及び２間において、あるユーザー（ここでは、ユーザー１）が、感動や親切な行為を施してくれた他のユーザー（ここでは、ユーザー２）に対し、感謝の気持ちを可視的な価値情報chaoとして「贈心」するためのネットワークシステムである。本実施形態において、この価値情報chaoは、物品やサービスとの交換価値を有するものであり、「受心」された価値情報は、物品やサービスという形に交換することができる。【００２３】
本実施形態において贈心システムは、贈心サービスの提供を行うサーバー群５と、各ユーザー１〜３が用いる通信端末装置１ａ〜３ａと、chaoを購入するための購入サーバー６とから概略構成される。【００２４】
通信端末装置１ａ及び２ａは、各ユーザーが個々に使用する通信端末であって、無線通信を利用した携帯可能な電話機であり、通信ネットワーク４の基地局４ａ及び４ｂ等の中継点と無線で通信し、通話やデータ通信等の通信サービスを移動しつつ受けることができる。この携帯電話機の通信方式としては、例えば、FDMA方式、TDMA方式、CDMA方式、W-CDMAの他、ＰＨＳ（Personal Handyphone System）方式等、種々のものが挙げられる。また、この携帯電話機は、デジタルカメラ機能、アプリケーションソフトの実行機能、あるいはGPS機能等の機能が搭載され、携帯情報端末(PDA)としての機能も果たす。【００２５】
そして、通信端末装置１ａ及び２ａは、贈心先である他のユーザーが有する属性項目を特定して、ユーザーが決定した所定数量のchao（価値情報）を送信する贈心手段としての機能と、贈心されたchaoの通帳を閲覧する機能を備え、これらの贈心機能と通帳閲覧機能などは、ブラウザ機能により実現されている。このブラウザ機能は、Webページを閲覧するためのアプリケーションソフトであり、インターネットからHTML（HyperText Markup Language）ファイルや画像ファイル、音楽ファイルなどをダウンロードし、レイアウトを解析して表示・再生する。また、このブラウザ機能は、フォームを使用してユーザーがデータをWebサーバーに送信したり、JavaScript（Javaは登録商標）やFlash、及びJavaなどで記述されたアプリケーションソフトを動作させたりすることも可能である。【００２６】
なお、本実施形態では、ユーザー１及び２が使用する端末装置を携帯電話としたが、本発明はこれに限定されるものではなく、パーソナルコンピュータ等の汎用コンピュータやゲーム機のような専用機器であってもよい。端末装置が汎用コンピュータである場合には、本発明の贈心手段は、コンピューター上で実行される専用アプリケーションや、ブラウザソフト等にプラグインされる付加的なプログラムで実現することもできる。【００２７】
通信ネットワーク４は、通信プロトコルTCP/IPを用いて種々の通信回線（電話回線やISDN回線、ADSL回線などの公衆回線、専用回線、無線通信網）を相互に接続して構築される分散型のIP網であり、このIP網には、10BASE-Tや100BASE-TX等によるイントラネット（企業内ネットワーク）や家庭内ネットワークなどのLANなども含まれる。【００２８】
なお、ユーザー３が使用する端末は、本実施形態では、パーソナルコンピュータ等の汎用コンピューターであり、このパーソナルコンピュータで実行されるブラウザソフトにより、上記通信端末装置１ａ及び２ａと同様の機能を果たすことができる。【００２９】
前記サーバー群５は、種々の機能を果たすサーバー装置の集合であり、全ユーザーの登録情報を蓄積するユーザー管理データベース５４を共有し、ユーザー毎に個別のサービスが可能となっている。具体的にこのサーバー群５には、chao通帳サーバー５１，アカウント／プロファイル管理サーバー５２，会員ページ配信サーバー５３が主として含まれている。【００３０】
これらのサーバー群５は、通信機能やデータベース検索機能を共有し、協働してシステムを構成している。図２は、これらサーバー群５で形成される各モジュール、及びこれらのモジュールとユーザー端末との関係を示す機能ブロック図である。なお、説明中で用いられる「モジュール」とは、装置や機器等のハードウェア、あるいはその機能を持ったソフトウェア、又はこれらの組み合わせなどによって構成され、所定の動作を達成するための機能単位を示す。【００３１】
図２に示すように、サーバー群５は、その機能ブロックとして、通信インターフェース５０４と、価値情報通信部５０３と、通帳管理手段５０２と、プロファイル管理手段５０１と、ユーザーページ公開手段５０６と、データベース検索部５０５とを備えている。【００３２】
通信インターフェース５０４は、通信ネットワーク４に接続し、データの送受信を行うモジュールであり、この通信インターフェース５０４を通じて、価値情報通信部５０３が、ユーザー間で贈受されるchaoに関する情報を取得する。【００３３】
価値情報通信部５０３は、データベース検索部５０５を通じてユーザー管理データベース５４に、ユーザーが所有するchaoの変動をデータベースに反映させるとともに、通帳管理手段５０２や、プロファイル管理手段５０１等にchaoの贈受に関する処理を指示する。【００３４】
さらに、価値情報通信部５０３は、贈心先のユーザーが、贈心元からchaoを受心した際、その受心したchaoの一部を、無作為に選択した他のユーザーに分配する「おすそわけ機能」を備えている。具体的にこのおすそわけ機能は、ランダム分配部５０３ａにより実行される。【００３５】
このランダム分配部５０３ａには、ユーザーが指定したユーザー群（二人以上のユーザーの集合）を贈心先リストとして登録することができ、当該ユーザーが受心する度に、図１０に示すように、その一部を、ユーザーが設定する「おすそわけ設定（受心したchaoからおすそわけをする割合（％））」に従って、無作為に選択された贈心先リストのメンバー（おすそわけ対象者）に対して分配する。このとき、この贈心先リストのメンバーが０人であるときは、全ユーザーの中からランダムに選出したユーザーにおすそわけを実行する。なお、ここでは、おすそわけ対象者を、ユーザーが指定した贈心先リストのメンバーに限定したが、無作為抽出の範囲をユーザー群に限定せずに、全ユーザーとしてもよい。【００３６】
通帳管理手段５０２は、主としてchao通帳サーバー５１により構成されるが、贈心手段（通信端末装置１ａ）によってユーザー間で贈受され、図５（ａ）及び（ｂ）に示すような通帳形式で、各ユーザーが保有するに至ったchaoを各ユーザーが有する属性項目（ジョブ）と関連づけて記録保持するモジュールである。なお、図５（ａ）は、chao通帳のトップページであり、このトップページには、chao通帳からのchaoの出納履歴がリスト表示されており、このレコードのリストをクリックすると、図５（ｂ）に示す詳細ページにドリルダウンすることができる。また、トップページにはchaoをチャージするページへのリンクが張られており、これを介してchaoの購入サーバへの接続が可能となっている。【００３７】
プロファイル管理手段５０１は、主としてアカウント／プロファイル管理サーバー５２により構成され、各ユーザーのプロフィールをプロファイルとして管理するモジュールである。このプロフィールには、chao通帳サーバー５１に記録保持された各ユーザーのジョブ、及び各ジョブに関連づけられて蓄積されたchaoの数量、贈受頻度、又は贈受人数に応じた、各ユーザーの評価レベルが含まれる。【００３８】
この評価レベルとしては、本実施形態では、属性項目毎の数量及び贈受頻度（受心回数）など、ユーザー間のリンクの密度に基づく「ジョブレベル」と、贈心してくれた贈心元の人数（全ユニークユーザー数）など、ユーザー間のリンクの広がりに基づく「枕詞レベル」とがある。【００３９】
詳述すると、上記ジョブレベルは、表１に示すように、ユーザーの職業やキャラクター、スキルを属性項目（ジョブ）とし、その各ジョブについての達成度を「レベル」で表現する数値である。このジョブは、予めプロファイル管理手段５０１により列挙され、列挙された仲からユーザーが任意に且つ複数選択することができる。そして、このジョブレベルの変化率（バージョンアップ難易度）は、ジョブ毎、或いはレベルに応じて設定することができ、また、chaoの数量や受心回数のレベルアップに与える影響度のバランスもジョブ毎或いはレベルに応じて変化させることができる。なお、本実施形態において、ジョブレベルは、chaoを受心した履歴に応じてのみ評価され、蓄積されたchaoをその後消費しても、ジョブレベルが低下されることはない。【００４０】
また、上記枕詞レベルは、表２に示すように、chaoの贈受により形成されたリンク数（ユニークユーザー数）の人数により格付けされる称号のようなものであり、プロフィールのユーザー名の枕詞として公開される。【００４１】
そして、枕詞レベル及びジョブレベルは、図６（ａ）に示す会員ページで公開されるプロファイルのタイトルとして表示される。本実施形態では、最も高いレベルのジョブがタイトルとして表示されるようになっており、ジョブレベルの変動に応じて、タイトルとして表示されるジョブが変化される。【００４２】
また、同図（ｂ）に示すように、プロファイルにおいて、各ユーザーは複数のジョブを設定することができ、chaoの贈心を受け付ける際に、その贈心がどのジョブに対するものであるかを、贈心元に選択させる。なお、本実施形態では、同図（ｂ）における複数のジョブの表示に際し、上位１０ジョブに入るもののみを抽出して表示するようにしている。
【表１】
2008108000.tif 000003
【表２】
2008108000.tif 000004
【００４３】
また、図７に示すように、このプロファイルの各項目は、ユーザーの操作に応じて、項目別に公開・非公開を設定することができる。そして、このように設定されたプロファイルは、ユーザーページ公開手段５０６を通じて会員ページとして公開される。【００４４】
ユーザーページ公開手段５０６は、主として会員ページ配信サーバー５３により構成され、ユーザー管理データベース５４に蓄積されたユーザー情報、及びプロファイル管理手段５０１、通帳管理手段５０２が生成した、会員ページやchao通帳として通信ネットワーク４を通じて公開するモジュールである。【００４５】
具体的に、このユーザーページ公開手段５０６は、Webサーバーとしての機能により達成される。このWebサーバー機能は、WWW（World Wide Web）等のドキュメントシステムにおいて、HTML（HyperText Markup Language）ファイルや画像ファイル、音楽ファイルなどの情報送信を行うサーバーコンピュータあるいはその機能を持ったソフトウェアであり、HTML文書や画像などの情報を蓄積しておき、Webブラウザなどのクライアントソフトウェアの要求に応じて、通信ネットワーク４を通じて、上述した会員ページやchao通帳を送信することができる。【００４６】
また、このユーザーページ公開手段５０６は、プロフィールの公開に際しては、ユーザーの評価レベル（ジョブレベルや枕詞レベル）のランキングを行い、上位のユーザーを一覧表示させるランキング機能を備えている。このランキングとしては、例えば、上述したジョブレベルや枕詞レベルでの順位付けが考えられ、その順位付けは、国や地方など地域ごとに行うことができる。【００４７】
さらに、このユーザーページ公開手段５０６には、メール配信サーバ機能も備えており、図６（ａ）に示した「メッセージを送る」というリンクをクリックすることによって、このメール配信サーバ機能に接続することができ、ユーザー間でのメッセージの送受信が行えるようになっている。【００４８】
通信端末装置１ａ及び２ａは、通常の通信機能を果たすためのモジュールとして、操作部１０１，操作信号取得部１０２，表示部１０４，表示データ生成部１０５，及び通信インターフェース１０６とを備えている。【００４９】
操作部１０１は、ダイヤルボタンやジョグダイヤル、タッチパネルなど操作信号を入力するためのモジュールである。操作信号取得部１０２は、操作部１０１におけるユーザー操作に基づく信号を取得し、解析するモジュールである。【００５０】
通信インターフェース１０６は、無線通信により通信ネットワーク４との間でデータの送受信を行うモジュールであり、受信された表示データは、表示データ生成部１０５に出力され、価値情報（chao）に関する情報は、価値情報設定部１０３に出力される。表示データ生成部１０５は、通信インターフェース１０６が受信した表示データを、表示部１０４で表示可能な映像信号に変換し、表示部１０４に出力させる。表示部１０４は、液晶等のディスプレイ装置であり、図４に示すような、GUI（Graphical User Interface）を表示する。【００５１】
また、表示データ生成部１０５は、表示部１０４に表示される画像と、操作部１０１での操作とを連携させるために、表示データ生成部１０５から制御信号を受け取り、この制御信号に基づいて操作信号を取得する。【００５２】
価値情報蓄積管理部１０７は、価値情報を蓄積する記憶手段であり、近距離非接触通信や通信インターフェース１０６を通じて、価値情報を取得（受信）したり、払出（送信）したりする機能を有する。本実施形態において価値情報chaoは、通信ネットワークを通じて販売され、図８に示すように、これを購入（チャージ）することが可能であり、価値情報蓄積管理部１０７に蓄積させることができる。このchaoの販売は、購入サーバー６で行われ、この購入サーバー６により、価値情報chaoの販売に対する課金処理が実行され、課金された代金は、携帯電話の電話料金とともに徴収されたり、他の金融機関による種々の決済方法（カード支払い、コンビニ決済）等により徴収される。【００５３】
前記ユーザーが使用する通信端末装置１ａ及び２ａは、贈心のためのモジュールとして、価値情報設定部１０３及び価値情報蓄積管理部１０７とを備えている。図３は、価値情報設定部１０３の内部構造を示すブロック図である。【００５４】
同図に示すように、価値情報設定部１０３は、ユーザー情報追加部１０３ａと、付加データ追加部１０３ｂと、贈心情報生成部１０３ｃと、属性項目選択部１０３ｄと、贈心先選択部１０３ｅと、贈心先情報参照部１０３ｆと、価値情報入力部１０３ｇとを有している。【００５５】
価値情報入力部１０３ｇは、ユーザー操作に応じて贈心に係るchaoの数量を入力するモジュールである。入力された価値情報は、贈心情報生成部１０３ｃに送出される。【００５６】
贈心先選択部１０３ｅは、ユーザー操作に応じて贈心先を特定するモジュールである。この贈心先選択部１０３ｅには、ユーザーのプロフィール（ジョブレベルを含む）をキーワードとして、各ユーザーのページを検索する検索手段の機能を有している。この検索機能では、キーワードを贈心先情報参照部１０３ｆを介してアカウント／プロファイル管理サーバー５２に問い合わせを行い、贈心先の特定の際に、該当する贈心先候補をリスト表示させることができる。【００５７】
贈心先選択部１０３ｅで特定された贈心先の情報（口座番号やユーザー名、ハンドルネーム、ID、電話番号等）は贈心先情報参照部１０３ｆに送出される。贈心先情報参照部１０３ｆは、特定された贈心先のユーザー情報を取得するモジュールであり、アカウント／プロファイル管理サーバー５２とのデータ送受により、贈心先のユーザー情報を参照する。この参照され取得された贈心先の情報は、属性項目選択部１０３ｄに受け渡される。【００５８】
属性項目選択部１０３ｄは、ユーザー操作に応じて、贈心に係る属性項目（ジョブ）を選択するモジュールである。贈心先選択部１０３ｅでは、贈心先情報参照部１０３ｆで取得された贈心先の属性項目（ジョブ）を選択可能に表示部１０４に表示させる。これによりユーザーは、贈心先の選択可能なジョブの中から、贈心に係るジョブを選択することができる。属性項目選択部１０３ｄで選択されたジョブは、贈心情報生成部１０３ｃに送出され、贈心情報に付加される。【００５９】
付加データ追加部１０３ｂは、価値情報入力部１０３ｇで入力された贈心に係る価値情報chaoに、選択された属性項目（ジョブ）やその他の添付データ（文字データや画像データ等）を追加するモジュールである。【００６０】
ユーザー情報追加部１０３ａは、当該端末装置を使用するユーザーの識別情報（氏名、ハンドルネーム、ID、電話番号等）を記憶保持する記憶手段であり、chaoを贈心する際の贈心情報に、当該端末装置を使用するユーザーの情報を付加データとして追加させるべく、ユーザー情報を付加データ追加部１０３ｂに送出する。【００６１】
贈心情報生成部１０３ｃは、価値情報入力部１０３ｇで入力された所定数量の価値情報chaoに、贈心元のユーザー情報、選択された属性項目、及び付加データを連結して贈心情報を生成するモジュールであり、生成された贈心情報は、通信インターフェース１０６に送出され、通信インターフェース１０６を通じて、サーバー群５に送信される。【００６２】
（贈心方法）
以上の構成を有する贈心システムを動作させることによって、本発明の贈心方法を実施することができる。図９は、本実施形態に係る贈心システムの動作を示すフローチャート図である。【００６３】
ここでは、ユーザー１がユーザー２から受けた好意に対し、「ありがとう」という感謝の気持ちを、価値情報chaoとして贈る場合を例に説明する。【００６４】
先ず、ユーザー１が、贈心手段である通信端末装置１ａにより、贈心先であるユーザー２が有する属性項目を特定して、ユーザー１が決定した所定数量の価値情報を送信する。【００６５】
具体的には、贈心先であるユーザー２の口座番号等の識別情報を入力し、贈心先を特定する（Ｓ１０２）。このとき、贈心先の口座番号等が判らない場合には、キーワード検索により見つけ出すことができる（Ｓ１０１）。【００６６】
口座番号を入力すると贈心先情報参照部１０３ｆが、サーバー群５を通じてユーザー管理データベース５４を参照し（Ｓ１０３）、贈心先のユーザー２のジョブを取得する。この取得されたユーザー２のジョブの中から、贈心に係るジョブを選択する（Ｓ１０４）。次いで、贈心に係るchaoの数量を入力する（Ｓ１０５）。この際、必要に応じて文字データや画像等の付加データを追加することができる（Ｓ１０６）。贈心情報生成部１０３ｃは、これらの情報を連結して贈心情報を生成し、サーバー群５に送信する（Ｓ１０７及びＳ１０８）。【００６７】
サーバー群５では、受心された贈心情報をユーザー管理データベース５４に反映させるべく、贈受に関与したユーザーのchao通帳の更新を行う（Ｓ１０９及びＳ１１０）。具体的には、通帳管理手段５０２によって、ユーザー２が受心して保有するに至った価値情報chaoを、ユーザー１が選択したユーザー２が有するジョブと関連づけてchao通帳に記録保持させる。【００６８】
詳述すると、図１１に示すように、贈心した「Aさん（ユーザー１）」の残高を減らし、受心した「Bさん（ユーザー２）」の残高を、おすそわけ分を差し引いて加算する。おすそわけを受けた「Cさん（他のユーザー）」の残高も、おすそわけ分の額だけ加算する。そして、これらのやり取りを取引履歴として記録する。このように更新されたchao通帳は、ユーザー２の公開設定に応じて、各ユーザーが自由に閲覧することができる。【００６９】
このようにしてユーザー間で、chaoの贈受が進んだ後、プロファイル管理手段５０１によって、通帳管理手段５０２（ユーザー管理データベース５４）で記録保持された各ユーザーのジョブ、及び各ジョブに関連づけられたchaoの数量又は贈受頻度に応じた、各ユーザーの評価レベルであるジョブレベル及び枕詞レベルを更新する（Ｓ１１１）。詳述すると、図１１に示すように、受心したBさん（ユーザー２）については、受心により金額が上がったジョブのレベルが上昇されるとともに、受心回数も上昇する。また、ユーザー１が、ユーザー２に対して贈心したのが初めてである場合、ユーザー１と２との間で新規なリンクが形成されることとなるため、ユーザー１及び２のユニークユーザー数がカウントアップされる。このとき、おすそわけを受けたCさんに関しては、ユニーク数はカウントアップされない。【００７０】
そして、このユニークユーザー数のカウントアップにより、ＡとＢの枕詞レベルがアップされる。本実施形態では、枕詞レベルに関しては、おすそわけを受けたＣについても、ユニークユーザー数をカウントアップされる。【００７１】
次いで、ユーザーページ公開手段５０６によって、プロファイル管理手段５０１が設定した各ユーザーのジョブレベルを会員ページに反映させ、通信ネットワークを通じて公開する（Ｓ１１２）。この公開された会員ページは全世界のユーザーが自由に閲覧することができる。【００７２】
詳述すると、図１２に示すように、ステップＳ１１１で更新された評価レベル（ジョブレベル及び枕詞レベル）の変動に応じて、会員ページのタイトルとして表示されるデータを更新する。このとき、受心を受け、chaoの金額が上がるのはユーザー２（Bさん）であるため、ジョブレベルに関する更新は、ユーザー２に対してのみ行う。このレベルを表示するための更新に際しては、chao金額又は受心回数のいずれかが一定値以上であって、且つユニーク数が一定数以上のジョブについてソートを行い、その中でレベルが最大のものを表示用とする。枕詞については、今回の贈受に関与したユーザー全員（A、B及びC）についてユニーク数が上昇したため、これら全てのユーザーの表示用レベルを更新し、最大のユニーク数に対応する枕詞レベルを抽出する。このように更新された表示用のレベルに従って、会員ページ（メンバプロフィール）のトップ表示内容を更新する。【００７３】
（贈心システム及び贈心方法による作用・効果）
このような本実施形態に係る贈心システム及び贈心方法によれば、日常的に交わされる「ありがとう」という感謝の気持ちを価値情報chaoとして贈心先に伝えることができる。そして、贈られたchaoを通帳管理手段５０２に蓄積することによって、その蓄積されたジョブやchaoの数量又は贈受頻度に応じ、贈心を受けたユーザーを評価することが可能となる。この評価はジョブレベルとして、ユーザーページ公開手段５０６によって通信ネットワーク４上に公開されることから、積み重ねられた個人的な「ありがとう」という気持ちのやり取りが、グローバルな情報として世界に発信され、ユーザーの「夢」や「願い」が実現される可能性を高めることができる。【００７４】
したがって、本実施形態によれば、リアルな現実社会において、感動や親切な行為を与えてくれた相手に対する「ありがとう」という感謝の気持ちを可視的な価値情報であるchaoとして伝え合い、それを貯えることによって、ユーザー間のリンクをグローバルに展開させることができ、その密接になったリンクはジョブレベルとしてユーザー自身の評価となり、その結果、ユーザー自身の「夢」や「願い」、「やってみたいこと」を実現させることができる。
【図１】
2008108000.tif 000005
【図２】
2008108000.tif 000006
【図３】
2008108000.tif 000007
【図４】
2008108000.tif 000008
【図５】
2008108000.tif 000009
【図６】
2008108000.tif 000010
【図７】
2008108000.tif 000011
【図８】
2008108000.tif 000012
【図９】
2008108000.tif 000013
【図１０】
2008108000.tif 000014
【図１１】
2008108000.tif 000015
【図１２】
2008108000.tif 000016
【国際調査報告】
2008108000.tif 000017
2008108000.tif 000018